(57)【要約】【課題】一時貯留庫に集積された硬貨の残留を抑制する手段を提供する。【解決手段】投入された硬貨を１枚ずつ送出する硬貨繰出し部２と、硬貨繰出し部２で送出された硬貨を鑑別する硬貨鑑別部４と、硬貨鑑別部４で鑑別された硬貨を集積する硬貨収納部９および硬貨返却部８と、硬貨鑑別部４と、硬貨収納部９および硬貨返却部８との間に設けられ、硬貨収納部９および硬貨返却部８に落下させる硬貨を一時貯留する収納空間が形成されるとともに、硬貨収納部９の上方と、硬貨返却部８の上方との間を移動可能に構成された一時貯留庫１７と、を有し、一時貯留庫１７は、硬貨収納部９の上方または硬貨返却部８の上方に移動するとき、収容空間が広がるように移動可能な可動壁１８（１８ａ、１８ｂ）を有する。【選択図】        図３
2018109814.tif 000002
【特許請求の範囲】
【請求項１】
投入された硬貨を１枚ずつ送出する送出部と、
前記送出部で送出された硬貨を鑑別する鑑別部と、
前記鑑別部で鑑別された硬貨を集積する第１の集積庫および第２の集積庫と、
前記鑑別部と、前記第１の集積庫および第２の集積庫との間に設けられ、前記第１の集積庫または前記第２の集積庫に落下させる硬貨を一時貯留する収納空間が形成されるとともに、前記第１の集積庫の上方と、前記第２の集積庫の上方との間を移動可能に構成された一時貯留庫と、
を有し、
前記一時貯留庫は、前記第１の集積庫の上方または前記第２の集積庫の上方に移動するとき、前記収容空間が広がるように移動可能な側壁を有することを特徴とする硬貨処理装置。
【請求項２】
請求項１に記載の硬貨処理装置において、
前記側壁は、前記一時貯留庫の移動に伴って移動することを特徴とする硬貨処理装置。
【請求項３】
請求項１または請求項２に記載の硬貨処理装置において、
前記側壁は、
上部に回転支点と、下部に係合部とを有し、
前記一時貯留庫の移動に伴って、前記係合部が装置本体に形成された被係合部と係合して回動することを特徴とする硬貨処理装置。
【請求項４】
請求項３に記載の硬貨処理装置において、
前記側壁は、
前記一時貯留庫の移動方向において対向配置された第１の側壁と、第２の側壁とを有し、
前記一時貯留庫の移動に伴って前記第１の側壁および前記第２の側壁のいずれか一方が回動することを特徴とする硬貨処理装置。
【請求項５】
請求項４に記載の硬貨処理装置において、
前記第１の側壁は、前記第２の集積庫側に配置され、
前記第２の側壁は、前記第１の集積庫側に配置され、
前記一時貯留庫が前記第１の集積庫の上方に移動したとき、前記第１の側壁が回動し、
前記一時貯留庫が前記第２の集積庫の上方に移動したとき、前記第２の側壁が回動することを特徴とする硬貨処理装置。
【請求項６】
請求項５に記載の硬貨処理装置において、
前記一時貯留庫は、４面からなる筒形に形成され、
前記第１の側壁および前記第２の側壁は、前記筒形の２面を形成していることを特徴とする硬貨処理装置。
【請求項７】
請求項５に記載の硬貨処理装置において、
前記一時貯留庫は、３面からなる第１の部材と、３面からなる第２の部材とを互いに合わせて４面からなる筒形に形成され、
前記第１の部材は、前記第１の側壁に取り付けられ、
前記第２の部材は、前記第２の側壁に取り付けられていることを特徴とする硬貨処理装置。
【請求項８】
請求項５に記載の硬貨処理装置において、
前記一時貯留庫は、２面からなる第１の部材と、２面からなる第２の部材とを合わせて４面からなる筒形に形成され、
前記第１の部材は、前記第１の側壁に取り付けられ、
前記第２の部材は、前記第２の側壁に取り付けられていることを特徴とする硬貨処理装置。
【請求項９】
投入された硬貨を１枚ずつ送出する送出部と、
前記送出部で送出された硬貨を鑑別する鑑別部と、
前記鑑別部で鑑別された硬貨を集積する第１の集積庫および第２の集積庫と、
前記鑑別部と、前記第１の集積庫および第２の集積庫との間に設けられ、前記第１の集積庫または前記第２の集積庫に落下させる硬貨を一時貯留する収納空間が形成されるとともに、前記第１の集積庫の上方と、前記第２の集積庫の上方との間を移動可能に構成された一時貯留庫と、
前記第１の集積庫の上方および前記第２の集積庫の上方に形成された突起部と、
を有し、
前記一時貯留庫は、前記突起部が貫通する貫通孔が形成され、前記第１の集積庫の上方または前記第２の集積庫の上方に移動するとき、前記収容空間内に前記突起部が突出することを特徴とする硬貨処理装置。
【請求項１０】
請求項９に記載の硬貨処理装置において、
前記突起部は、前記一時貯留庫の移動に伴って前記収容空間内に突出することを特徴とする硬貨処理装置。
【請求項１１】
投入された硬貨を１枚ずつ送出する送出部と、
前記送出部で送出された硬貨を鑑別する鑑別部と、
前記鑑別部で鑑別された硬貨を集積する第１の集積庫および第２の集積庫と、
前記鑑別部と、前記第１の集積庫および第２の集積庫との間に設けられ、前記第１の集積庫または前記第２の集積庫に落下させる硬貨を一時貯留する収納空間が形成されるとともに、前記第１の集積庫の上方に配置され、前記第２の集積庫の上方へ移動可能に構成された一時貯留庫と、
前記一時貯留庫の底部を形成し、移動可能に構成された底板と、
を有し、
前記一時貯留庫は、前記第２の集積庫の上方に移動するとき、前記収容空間が広がるように移動可能な側壁と、前記底板が移動するとき、前記収容空間が広がるように移動可能な側壁とを有することを特徴とする硬貨処理装置。
【請求項１２】
請求項１から請求項１１のいずれかに記載の硬貨処理装置において、
前記一時貯留庫は、前記移動方向と直交する方向に金種毎に複数配列されていることを特徴とする硬貨処理装置。
【発明の詳細な説明】
【技術分野】
【０００１】
本発明は、一時貯留部を有する硬貨処理装置に関する。
【背景技術】
【０００２】
従来の硬貨処理装置は、入金された硬貨を収納庫に収納する前に、一時的に硬貨を貯留しておく一時貯留部を備え、その一時貯留部は上下方向に開口部が形成された筒形状の壁板と下方の開口部を閉塞する底板とを有し、壁板を移動させ、硬貨を開口部から落下させて収納庫に収納させるようにしている（例えば、特許文献１参照）。
【先行技術文献】
【特許文献】
【０００３】
【特許文献１】特開２０１２−２５２６０３号公報
【発明の概要】
【発明が解決しようとする課題】
【０００４】
しかしながら、従来の技術においては、硬貨を一時貯留庫に集積した際、一時貯留庫の壁板の側壁と側壁との間に硬貨が挟まれ、底板を移動させても硬貨が落下せず、一時貯留庫に残留してしまうという問題がある。
本発明は、このような問題を解決することを課題とし、一時貯留庫に集積された硬貨の残留を抑制することを目的とする。
【課題を解決するための手段】
【０００５】
そのため、本発明は、投入された硬貨を１枚ずつ送出する送出部と、前記送出部で送出された硬貨を鑑別する鑑別部と、前記鑑別部で鑑別された硬貨を集積する第１の集積庫および第２の集積庫と、前記鑑別部と、前記第１の集積庫および第２の集積庫との間に設けられ、前記第１の集積庫または前記第２の集積庫に落下させる硬貨を一時貯留する収納空間が形成されるとともに、前記第１の集積庫の上方と、前記第２の集積庫の上方との間を移動可能に構成された一時貯留庫と、を有し、前記一時貯留庫は、前記第１の集積庫の上方または前記第２の集積庫の上方に移動するとき、前記収容空間が広がるように移動可能な側壁を有することを特徴とする。
【発明の効果】
【０００６】
このようにした本発明は、一時貯留庫に集積された硬貨の残留を抑制することができるという効果が得られる。
【図面の簡単な説明】
【０００７】
【図１】第１の実施例における硬貨処理装置の構成を示す説明図
【図２】第１の実施例における一時貯留庫の構成を示す側面図
【図３】第１の実施例における一時貯留庫の構成を示す正面図
【図４】第１の実施例における一時貯留庫の構成を示す上面図
【図５】第１の実施例における一時貯留庫の収納動作の説明図
【図６】第１の実施例における一時貯留庫の返却動作の説明図
【図７】第２の実施例における一時貯留庫の構成を示す上面図
【図８】第２の実施例における一時貯留庫の収納動作の説明図
【図９】第３の実施例における一時貯留庫の構成を示す上面図
【図１０】第３の実施例における一時貯留庫の構成を示す前面図
【図１１】第３の実施例における一時貯留庫の収納動作を示す上面図
【図１２】第３の実施例における一時貯留庫の収納動作を示す前面図
【図１３】第４の実施例における一時貯留庫の構成を示す前面図
【図１４】第４の実施例における一時貯留庫の構成を示す斜視図
【図１５】第４の実施例における一時貯留庫の構成を示す上面図
【図１６】第４の実施例における一時貯留庫の収納動作を示す上面図
【図１７】比較例における一時貯留庫の収納動作の説明図
【発明を実施するための形態】
【０００８】
以下、図面を参照して本発明による硬貨処理装置の実施例を説明する。
【実施例１】
【０００９】
図１は第１の実施例における硬貨処理装置の構成を示す説明図であり、図１（ａ）は硬貨処理装置の内部構成を示す概略正面図、図１（ｂ）は硬貨処理装置側面の内部構成を示す概略側断面図である。
図１において、硬貨処理装置１００は、商品の販売やサービスの提供を行う店舗に設置されたレジスタ等で取り扱われる硬貨を管理するものであり、硬貨の真偽、金種等の鑑別や計数を行い、硬貨の入金処理や計数処理等を行うものである。
【００１０】
硬貨処理装置１００は、硬貨投入口１と、硬貨繰出し部２と、硬貨搬送路３と、硬貨鑑別部４と、リジェクト硬貨返却部５と、硬貨選別部６と、一時貯留部７と、硬貨返却部８と、硬貨収納部９と、硬貨出金部１０と、回収庫１１とを有している。
硬貨投入口１は、硬貨処理装置１００の前面側に配設され、硬貨を非整列状態で受け入れるものである。硬貨投入口１は、硬貨を一括して投入できるように上面に開口部が形成されている。
【００１１】
送出部としての硬貨繰出し部２は、硬貨投入口１の下方に配設され、硬貨投入口１に投入された硬貨を１枚ずつ繰り出し、硬貨搬送路３へ送り出すものである。
硬貨搬送路３は、硬貨繰出し部２から送られた硬貨を図中矢印Ａが示す硬貨搬送方向へ搬送するものである。硬貨搬送路３には、リジェクト硬貨返却部５に繋がるリジェクト口と、硬貨を金種別に振り分ける硬貨選別部６とが配設されている。
【００１２】
鑑別部としての硬貨鑑別部４は、硬貨搬送路３に配設され、硬貨繰出し部２から送出され、硬貨搬送路３で搬送される硬貨の真偽や金種を鑑別するものである。硬貨鑑別部４は、１円、５円、１０円、５０円、１００円、５００円の６金種を鑑別する。
リジェクト硬貨返却部５は、硬貨鑑別部４で偽と鑑別された硬貨を返却するための返却庫である。
硬貨選別部６は、硬貨鑑別部４で正と鑑別された硬貨を金種別に選別するものである。
【００１３】
一時貯留部７は、硬貨選別部６の下方であって、硬貨鑑別部４と、硬貨収納部９および硬貨返却部８との間に配設され、硬貨選別部６で金種毎に選別された硬貨、即ち硬貨収納部９および硬貨返却部８に落下させる硬貨を金種別に一時貯留する収納空間が形成されたものである。一時貯留部７は、仕切り板（仕切り壁）により金種別に仕切られている。硬貨選別部６と一時貯留部７との間には、硬貨選別部６から落下した硬貨を一時貯留部７へ導く硬貨搬送シュート１３が配設されている。
【００１４】
第１の集積庫としての硬貨収納部９は、一時貯留部７に貯留された硬貨を金種別に集積し、収納するための収納庫である。硬貨収納部９は、仕切り板により金種別に仕切られている。
第２の集積庫としての硬貨返却部８は、一時貯留部７に貯留された硬貨を集積し、返却するための返却庫である。硬貨返却部８は、硬貨処理装置１００の正面から装置外へ引き出し可能になっている。硬貨返却部８は、仕切り板により金種別に仕切られている。
【００１５】
硬貨出金部１０は、硬貨収納部９の底面開口部の下流に配設され、硬貨収納部９に収納された硬貨を出金するための出金庫である。
回収庫１１は、硬貨収納部９の底面開口部の下流に配設され、硬貨収納部９に収納された硬貨を回収するための回収庫である。
【００１６】
硬貨収納部９から出金された硬貨は、搬送先を変更する切替ブレードおよびアクチュエータが配設され、硬貨出金部１０に導くルートと、回収庫１１に導くルートとを任意に変更することができるようになっている。
上述した硬貨投入口１、硬貨繰出し部２、硬貨搬送路３、硬貨鑑別部４、および硬貨選別部６により、硬貨投入部１２が構成されている。
【００１７】
図２は第１の実施例における一時貯留庫の構成を示す側面図である。なお、図中矢印ＵＰは上方向、矢印ＬＷは下方向、矢印ＦＲは前方向、矢印ＲＥは後方向を示している。
図２において、硬貨選別部６には、回転可能な無端状の硬貨搬送ベルト１４が配設されている。硬貨搬送ベルト１４は回転することにより、図１に示す硬貨鑑別部４で鑑別された硬貨を図中矢印Ａが示す硬貨搬送方向に搬送する。
【００１８】
また、硬貨搬送ベルト１４の下方には、硬貨鑑別部４の鑑別結果に基づき１円、５円、１０円、５０円、１００円、５００円の６金種に振り分ける６つの図中矢印Ｂが示す方向に回動可能な硬貨選別ゲート１５が配設されている。
それぞれの硬貨選別ゲート１５は、硬貨搬送面６ａを形成するとともに、硬貨鑑別部４の鑑別結果に基づいて回動することにより、硬貨搬送ベルト１４で搬送される硬貨を金種別に配設された硬貨搬送シュート１３へ導くものである。
【００１９】
硬貨搬送シュート１３は、金種毎の硬貨選別ゲート１５と、一時貯留部７の金種毎の一時貯留庫１７とを結ぶものであり、回動した硬貨選別ゲート１５から落下した硬貨２２ａを一時貯留部７の一時貯留庫１７へ導くものである。
一時貯留庫１７は、それぞれの硬貨搬送シュート１３の下方に、金種毎に６つ配設された貯留庫である。それぞれの一時貯留庫１７の下方には、底板１６が配設されている。この６つの金種別の一時貯留庫１７は、一時貯留部７を形成している。
【００２０】
図３は第１の実施例における一時貯留庫の構成を示す正面図、図４は第１の実施例における一時貯留庫の構成を示す上面図である。なお、図中矢印ＬＦは左方向、矢印ＲＧは右方向、矢印ＵＰは上方向、矢印ＬＷは下方向、矢印ＦＲは前方向、矢印ＲＥは後方向を示している。
図３および図４において、一時貯留部７は、装置の前後方向に、６つの金種別の一時貯留庫１７（１７ａ〜１７ｆ）が一列に並べて配設されている。この一時貯留部７は、一時貯留部移動モータの駆動により一時貯留庫１７の配列方向と直交する装置の左右方向（図中矢印Ｈおよび矢印Ｓが示す方向）に移動可能に装置本体のフレームに支持されている。このように、一時貯留庫１７は、一時貯留部７の移動方向と直交する方向に金種毎に複数配列されている。
【００２１】
一時貯留部７は、それぞれの一時貯留庫１７の側面を形成する可動壁１８（１８ａ、１８ｂ）および仕切り壁１７１（１７１ａ〜１７１ｇ）と、それぞれの一時貯留庫１７の底面を形成するとともに移動可能な底板１６とを有している。
【００２２】
側壁としての可動壁１８は、装置の前後方向に延伸する２つの板状の部材であり、可動壁１８ａと可動壁１８ｂとが一時貯留庫１７の移動（左右）方向（図中矢印Ｈおよび矢印Ｓが示す方向）において対向配置されている。この可動壁１８は、一時貯留部７の移動に伴って移動する。また、可動壁１８ａおよび可動壁１８ｂは、４側面からなる筒形に形成された一時貯留庫１７の２側面を形成している。
【００２３】
可動壁１８ａは、図３に示すように、一時貯留部７の左側の硬貨返却部８側に配設され、また可動壁１８ｂは、一時貯留部７の右側の硬貨収納部９側に配設されている。
可動壁１８ａは、底板１６の左端部の上方に配設され、上部が回転支点としての支点２０ａで回動可能に支持されている。可動壁１８ａは、下部が下方向から左方向に回動できるように支持され、また下部が下方向から右方向への回動は規制部材で規制されている。
【００２４】
一方、可動壁１８ｂは、底板１６の右端部の上方に配設され、上部が回転支点としての支点２０ｂで回動可能に支持されている。可動壁１８ｂは、下部が下方向から右方向に回動できるように支持され、また下部が下方向から左方向への回動は規制部材で規制されている。
このように、可動壁１８ａおよび可動壁１８ｂは、下部が自由端となって一時貯留庫１７の容積が増加する方向（収納空間が広がる方向）に回動可能に一時貯留部７に設けられている。なお、可動壁１８ａおよび可動壁１８ｂは、下部が下方向になるように付勢部材で付勢されている。
【００２５】
また、可動壁１８ａの下方の先端部であって前後方向における両端部に係合部としての突起部１９ａが２つ設けられ、同様に可動壁１８ｂの下方の先端部であって前後方向における両端部に係合部としての突起部１９ｂが２つ設けられている。
なお、突起部１９ａと突起部１９ｂとは、前後方向において異なる位置に配設されている。
【００２６】
仕切り壁１７１は、可動壁１８ａおよび可動壁１８ｂで挟まれる空間を仕切る側壁であり、図４に示すように、可動壁１８ａおよび可動壁１８ｂの延伸方向（装置の前後方向）に複数配列されている。本実施例では、仕切り壁１７１は、可動壁１８ａと可動壁１８ｂとの間に７枚の仕切り壁１７１ａ〜１７１ｇとして配設され、６つの金種別の一時貯留庫１７ａ〜１７ｆを形成している。
【００２７】
仕切り壁１７１ａ〜１７１ｇは、硬貨収納部９の仕切り板および硬貨返却部８の仕切り板に対応するように配置されている。
底板１６は、可動壁１８（１８ａ、１８ｂ）および仕切り壁１７１（１７１ａ〜１７１ｇ）の下方に配設され、一時貯留庫１７の底面を形成するものである。この底板１６は、底板移動モータの駆動により一時貯留庫１７の配列方向と直交する装置の左右方向（図中矢印Ｈおよび矢印Ｓが示す方向）に移動可能に設けられている。
【００２８】
また、一時貯留部７の下方の装置本体のフレームには底面７１が形成されている。
底面７１は、底板１６の下方に配設されたものである。この底面７１には、可動壁１８ｂの２つの突起部１９ｂと係合する２つの被係合部としての突起受け７２ａと、可動壁１８ａの２つの突起部１９ａと係合する２つの被係合部としての突起受け７２ｂとが配設されている。
【００２９】
突起受け７２ａは底面７１の左端部であって前後方向における両端部に設けられ、突起受け７２ｂは底面７１の右端部であって前後方向における両端部に設けられている。
突起受け７２ａと突起受け７２ｂとは、前後方向において異なる位置に配設され、一時貯留庫１７が装置の左右方向（図中矢印Ｈおよび矢印Ｓが示す方向）に移動した場合、突起受け７２ａは、可動壁１８ｂの突起部１９ｂと係合し、突起受け７２ｂは、可動壁１８ａの突起部１９ａと係合するように配設されている。
【００３０】
したがって、一時貯留庫１７の移動に伴って可動壁１８ａおよび可動壁１８ｂのいずれか一方が回動する。即ち、一時貯留庫１７が硬貨収納部９の上方に移動したとき、可動壁１８ａが回動し、一時貯留庫１７が硬貨返却部８の上方に移動したとき、可動壁１８ｂが回動する。
このように、一時貯留部７の一時貯留庫１７は、可動壁１８と、仕切り壁１７１とにより側面が形成され、また底板１６により底面が形成され、装置の左右方向（図中矢印Ｈおよび矢印Ｓが示す方向）であって、硬貨収納部９の上方と、硬貨返却部８の上方との間を移動可能に構成されている。
【００３１】
一時貯留部７が、図中矢印Ｈが示す左方向へ移動した場合、一時貯留部７の下方には硬貨返却部８が配置され、また図中矢印Ｓが示す右方向へ移動した場合、一時貯留部７の下方には硬貨収納部９が配置されている。
このとき、可動壁１８ａまたは可動壁１８ｂは、一時貯留部７の一時貯留庫１７の移動に伴って、突起部１９ｂまたは突起部１９ａが装置本体に形成された突起受け７２ａまたは突起受け７２ｂと係合して回動する。
【００３２】
したがって、一時貯留部７を硬貨返却部８の上方まで移動させた後、底板１６を移動させて一時貯留庫１７の底部を開放することにより、それぞれの一時貯留庫１７に貯留した硬貨を硬貨返却部８に落下させることができ、また一時貯留部７を硬貨収納部９の上方まで移動させた後、底板１６を移動させて一時貯留庫１７の底部を開放することにより、それぞれの一時貯留庫１７に貯留した硬貨を硬貨収納部９に落下させることができる。
【００３３】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、硬貨処理装置が行う硬貨の入金処理あるいは計数処理を図１および図２に基づいて説明する。
【００３４】
操作者が硬貨処理装置１００の硬貨投入部１に硬貨を一括して投入すると、その硬貨は硬貨繰出し部２に落下し、硬貨繰出し部２は硬貨を１枚ずつ分離して硬貨送出口から硬貨搬送路３へ繰り出す。
硬貨搬送路３に繰り出された硬貨は、硬貨鑑別部４においてセンサ等により検出された硬貨の特徴に基づいて硬貨の真偽、金種等の鑑別が行われ、真と鑑別され、かつ金種が鑑別された硬貨の計数が行われた後、硬貨選別部６に送られる。
【００３５】
硬貨選別部６のリジェクト口および金種別の硬貨搬送ゲート１５は通常閉じているが、硬貨鑑別部４の鑑別結果によりリジェクト口および金種別の硬貨搬送ゲート１５の開閉が制御される。
例えば、硬貨鑑別部４で偽と鑑別された硬貨に対してはソレノイド等のアクチュエータによりリジェクトゲートを開き、リジェクト硬貨返却部５に硬貨を落下させて集積する。
【００３６】
また、硬貨鑑別部４で真と鑑別された硬貨に対しては金種の鑑別結果に応じて、図２に示すように、各々の金種に対応する硬貨選別ゲート１５をソレノイド等のアクチュエータにより開き、金種別に硬貨２２ａを硬貨搬送シュート１３により一時貯留部７の一時貯留庫１７に落下させて集積する。このとき、一時貯留庫１７の可動壁１８ａ、１８ｂは付勢部材により内側に付勢されているため、自由端部を下方とした状態を保持し、外側には開かない。
【００３７】
硬貨処理装置１００は、硬貨を一時貯留部７に集積すると、硬貨鑑別部４による計数結果に基づく金種別の金額や合計金額等をディスプレイ等の表示部に表示して操作者に確認させる。操作者は表示された計数結果を確認し、入金処理の場合には表示部に表示された画面の操作ボタンにより収納の可否を選択入力するものとする。
【００３８】
ここで、収納可の入力が行われた場合の動作を図５に基づいて説明する。
硬貨処理装置１００は、収納を指示する収納可入力を受け付けると、図５に示すように、一時貯留部７の一時貯留庫１７に金種別に集積した硬貨２２ｂを硬貨収納部９に移動させるため、底板１６を含む一時貯留部７を図中矢印Ｓが示す硬貨収納部９の方向へ移動させる。
【００３９】
一時貯留部７が硬貨収納部９の直上に到達する直前に、一時貯留庫１７の可動壁１８ａの先端に配設されている突起部１９ａが一時貯留部７の底面７１に配設された突起受け７２ｂと係合し、一時貯留部７の移動に伴って可動壁１８ａが支点２０ａを回転支点として回動し、一時貯留庫１７の容積が増加する方向に開く。
硬貨処理装置１００は、一時貯留部７が硬貨収納部９の直上に到達すると一時貯留部７の移動を停止する。
【００４０】
硬貨処理装置１００は、一時貯留部７の移動を停止すると、底板１６を図中矢印ＬＦが示す左方向へ移動させ、一時貯留庫１７の底面を開放し、一時貯留庫１７内の硬貨２２ｂを落下させる。
硬貨処理装置１００は、一時貯留部７の一時貯留庫１７内の硬貨２２ｂを硬貨収納部９に硬貨２２ｄとして収納すると、底板１６を除く一時貯留部７を硬貨収納部９と硬貨返却部８との間に移動する。
【００４１】
このとき、可動壁１８ａの突起部１９ａと、突起受け７２ｂとの係合が解除され、付勢部材による付勢力により可動壁１８ａが支点２０ａを回転支点として回動し、可動壁１８ａの自由端部は下方に配置される。
また、収納否の入力が行われた場合の動作を図６に基づいて説明する。
【００４２】
硬貨処理装置１００は、収納否、即ち収納の取り消しまたは計数を指示する入力を受け付けると、図６に示すように、一時貯留部７の一時貯留庫１７に金種別に集積した硬貨２２ｂを硬貨返却部８に移動させるため、底板１６を含む一時貯留部７を図中矢印Ｈが示す硬貨返却部８の方向へ移動させる。
【００４３】
一時貯留部７が硬貨返却部８の直上に到達する直前に、一時貯留庫１７の可動壁１８ｂの先端に配設されている突起部１９ｂが一時貯留部７の底面７１に配設された突起受け７２ａと係合し、一時貯留部７の移動に伴って可動壁１８ｂが支点２０ｂを回転支点として回動し、一時貯留庫１７の容積が増加する方向に開く。
【００４４】
硬貨処理装置１００は、一時貯留部７が硬貨返却部８の直上に到達すると一時貯留部７の移動を停止する。
硬貨処理装置１００は、一時貯留部７の移動を停止すると、底板１６を図中矢印ＲＧが示す右方向へ移動させ、一時貯留庫１７の底面を開放し、一時貯留庫１７内の硬貨２２ｂを落下させる。
【００４５】
硬貨処理装置１００は、一時貯留部７の一時貯留庫１７内の硬貨２２ｂを硬貨返却部８に硬貨２２ｅとして集積すると、底板１６を除く一時貯留部７を硬貨返却部８と硬貨収納部９との間に移動する。
このとき、可動壁１８ｂの突起部１９ｂと、突起受け７２ａとの係合が解除され、付勢部材による付勢力により可動壁１８ｂが支点２０ｂを回転支点として回動し、可動壁１８ｂの自由端部は下方に配置される。
【００４６】
このように、本実施例では、一時貯留部７を硬貨収納部９または硬貨返却部８の上方に移動して一時貯留部７の一時貯留庫１７内の硬貨２２ｂを硬貨収納部９または硬貨返却部８に落下させるとき、一時貯留庫１７の一方の可動壁が一時貯留庫１７の容積が増加する方向（収納空間が広がる方向）に回動するようにしたことにより、一時貯留庫１７内の硬貨２２ｂを落下させることができ、一時貯留庫１７に集積された硬貨の残留を抑制することができる。
【００４７】
ここで、比較例の動作を図１７の比較例における一時貯留庫の収納動作の説明図に基づいて図１を参照しながら説明する。
比較例は、一時貯留庫１７の側壁が不動壁として構成され、一時貯留部７の一時貯留庫１７内の硬貨２２ｃを硬貨収納部９または硬貨返却部８に落下させるとき、一時貯留庫１７の壁が回動しないものである。
【００４８】
以下に、収納を指示する収納可入力を受け付け後の比較例の動作を説明する。
硬貨処理装置１００は、収納を指示する収納可入力を受け付けると、図１７に示すように、一時貯留部７の一時貯留庫１７に金種別に集積した硬貨２２ｃを硬貨収納部９に移動させるため、底板１６を含む一時貯留部７を図中矢印Ｓが示す硬貨収納部９の方向へ移動させる。
【００４９】
硬貨処理装置１００は、一時貯留部７が硬貨収納部９の直上に到達すると一時貯留部７の移動を停止する。
硬貨処理装置１００は、一時貯留部７の移動を停止すると、底板１６を図中矢印ＬＦが示す左方向へ移動させ、一時貯留庫１７の底面を開放する。
【００５０】
しかし、一時貯留庫１７の内部で側壁と側壁との間に硬貨２２ｃが挟まれて突っ張ることにより硬貨２２ｃの動きが規制され、硬貨２２ｃが一時貯留庫１７の内部に残留してしまうことがある。
本実施例では、図５に示すように、一時貯留部７が硬貨収納部９の直上に到達する直前に、一時貯留庫１７の可動壁１８ａの先端に配設されている突起部１９ａが一時貯留部７の底面７１に配設された突起受け７２ｂと係合し、一時貯留部７の移動に伴って側壁としての可動壁１８ａが支点２０ａを回転支点として回動し、一時貯留庫１７の容積が増加する方向に開く。
【００５１】
そのため、一時貯留庫１７の内部で側壁と側壁との間に硬貨２２ｃが挟まれた場合であっても、硬貨２２ｃの動きの規制を解除することができ、一時貯留庫１７内の硬貨２２ｂを落下させて一時貯留庫１７に集積された硬貨の残留を抑制することができる。
また、一時貯留部７内の硬貨を硬貨返却部８に落下させる場合も同様に、一時貯留庫１７に集積された硬貨の残留を抑制することができる。
【００５２】
なお、本実施例では、一時貯留部７を硬貨返却部８または硬貨収納部９の上方まで移動させた後、底板１６を移動させて一時貯留庫１７の底部を開放するものとして説明したが、一時貯留部７に底板１６を設けることなく、一時貯留部７を硬貨返却部８または硬貨収納部９の上方まで移動させるようにしても良い。この場合、一時貯留部７が移動するとともに、それぞれの一時貯留庫１７に貯留した硬貨を硬貨返却部８または硬貨収納部９に落下させることができる。
【００５３】
このとき、一時貯留部７の一時貯留庫１７が硬貨返却部８または硬貨収納部９の上方に到達する直前で、可動壁１８ａまたは可動壁１８ｂは、突起部１９ｂまたは突起部１９ａが装置本体に形成された突起受け７２ａまたは突起受け７２ｂと係合して回動し、一時貯留庫１７の容積が増加する方向に開く。
そのため、一時貯留庫１７の内部で側壁と側壁との間に硬貨２２ｃが挟まれた場合であっても、硬貨２２ｃの動きの規制を解除することができ、一時貯留庫１７内の硬貨２２ｂを落下させて一時貯留庫１７に集積された硬貨の残留を抑制することができる。
【００５４】
また、本実施例では、一時貯留部７の一時貯留庫１７に金種別に集積した硬貨２２ｂを硬貨収納部９に移動させる場合、底板１６を含む一時貯留部７を図５の矢印Ｓが示す硬貨収納部９の方向へ移動させ、一時貯留部７の一時貯留庫１７に金種別に集積した硬貨２２ｂを硬貨返却部８に移動させる場合、底板１６を含む一時貯留部７を図６の矢印Ｈが示す硬貨返却部８の方向へ移動させるものとして説明したが、以下に説明する変形例としても良い。
【００５５】
変形例では、図３に示す一時貯留部７の下方に、硬貨収納部９または硬貨返却部８を配置し、また底板１６に突起部１９ａと係合する突起受け、または突起部１９ｂと係合する突起受けを形成した構成とする。
【００５６】
一時貯留部７の下方に、硬貨収納部９を配置した構成では、一時貯留部７の一時貯留庫１７に金種別に集積した硬貨２２ｂを硬貨収納部９に移動させる場合、底板１６のみを例えば右方向に移動させて一時貯留庫１７の底部を開放する。時貯留庫１７の底部を完全に開放するとき、底板１６の移動に伴って突起部１９ｂが底板１６の突起受けと係合することにより、可動壁１８ｂが回動し、一時貯留庫１７の容積が増加する方向に開く。なお、一時貯留部７の一時貯留庫１７に金種別に集積した硬貨２２ｂを硬貨返却部８に移動させる場合、図６で説明した動作となる。
【００５７】
一方、一時貯留部７の下方に、硬貨返却部８を配置した構成では、一時貯留部７の一時貯留庫１７に金種別に集積した硬貨２２ｂを硬貨返却部８に移動させる場合、底板１６のみを例えば左方向に移動させて一時貯留庫１７の底部を開放する。一時貯留庫１７の底部を完全に開放するとき、底板１６の移動に伴って突起部１９ａが底板１６の突起受けと係合することにより、可動壁１８ａが回動し、一時貯留庫１７の容積が増加する方向に開く。なお、一時貯留部７の一時貯留庫１７に金種別に集積した硬貨２２ｂを硬貨収納部９に移動させる場合、図５で説明した動作となる。
【００５８】
このように変形例では、一時貯留部７は第１の集積庫（硬貨収納部９または硬貨返却部８）の上方に配置され、第２の集積庫（第１の集積庫が硬貨収納部９の場合は硬貨返却部８、第１の集積庫が硬貨返却部８の場合は硬貨収納部９）の上方へ移動可能に構成され、底板１６は一時貯留部７の底部を形成し、移動可能に構成され、一時貯留部７は、前記第２の集積庫の上方に移動するとき、収容空間が広がるように移動可能な側壁と、底板１６が移動するとき、収容空間が広がるように移動可能な側壁とを有している。
【００５９】
以上説明したように、第１の実施例では、一時貯留部の移動に伴って可動壁が回動し、一時貯留庫の容積が増加する方向に開くようにしたとことにより、一時貯留庫に集積された硬貨の残留を抑制することができるという効果が得られる。
【実施例２】
【００６０】
第２の実施例の構成は、一時貯留庫の構成が第１の実施例と異なっている。その第２の実施例の構成を図７の第２の実施例における一時貯留庫の構成を示す上面図に基づいて説明する。なお、上述した第１の実施例と同様の部分は、同一の符号を付してその説明を省略する。
【００６１】
図７において、一時貯留庫２７は、それぞれの一時貯留庫２７の側面を形成する仕切り壁２７１（２７１ａ、２７１ｂ）と、仕切り壁２７１を支持する可動壁２８（２８ａ、２８ｂ）とを有している。なお、図３および図４に示す、それぞれの一時貯留庫２７の底面を形成する底板１６および底面７１は、第１の実施例と同様の構成である。また、一時貯留庫２７は、一時貯留部７の移動方向と直交する方向に金種毎に複数配列されている。
【００６２】
可動壁２８は、装置の前後方向に延伸する２つの板状の部材であり、第１の側壁としての可動壁２８ａと第２の側壁としての可動壁２８ｂとが対向配置されている。なお、可動壁２８ａおよび可動壁２８ｂは、図３および図４に示す第１の実施例の可動壁１８ａおよび可動壁１８ｂと同様に回動可能に構成されている。
仕切り壁２７１ａ、２７１ｂは、可動壁２８ａおよび可動壁２８ｂで挟まれる空間を仕切る内側壁であり、可動壁２８ａおよび可動壁２８ｂの延伸方向（装置の前後方向）に複数配列されている。
【００６３】
第１の部材としての仕切り壁２７１ａは、固定部２７２ａと、第１の内側壁部２７３ａと、第２の内側壁部２７４ａとを有し、上面から見た形状が略コ字状に形成された３面からなる板状部材である。
固定部２７２ａは、可動壁２８ａに固定されている。したがって、固定部２７２ａで可動壁２８ａに固定された仕切り壁２７１ａは、可動壁２８ａの回動に伴って回動するようになっている。
【００６４】
第１の内側壁部２７３ａは、矢印ＦＲおよび矢印ＲＥが示す前後方向における固定部２７２ａの一端部（前側の端部）に形成され、可動壁２８ｂに向かって矢印ＲＧが示す右方向に延伸するように形成されている。
第２の内側壁部２７４ａは、矢印ＦＲおよび矢印ＲＥが示す前後方向における固定部２７２ａの一端部（後ろ側の端部）に形成され、可動壁２８ｂに向かって矢印ＲＧが示す右方向に延伸するように形成されている。
【００６５】
第２の部材としての仕切り壁２７１ｂは、固定部２７２ｂと、第１の内側壁部２７３ｂと、第２の内側壁部２７４ｂとを有し、上面から見た形状が略コ字状に形成された３面からなる板状部材である。
固定部２７２ｂは、可動壁２８ｂに固定されている。したがって、固定部２７２ｂで可動壁２８ｂに固定された仕切り壁２７１ｂは、可動壁２８ｂの回動に伴って回動するようになっている。
【００６６】
第１の内側壁部２７３ｂは、矢印ＦＲおよび矢印ＲＥが示す前後方向における固定部２７２ｂの一端部（前側の端部）に形成され、可動壁２８ａに向かって矢印ＬＦが示す左方向に延伸するように形成されている。
第２の内側壁部２７４ｂは、矢印ＦＲおよび矢印ＲＥが示す前後方向における固定部２７２ｂの一端部（後ろ側の端部）に形成され、可動壁２８ａに向かって矢印ＬＦが示す左方向に延伸するように形成されている。
【００６７】
仕切り壁２７１ａの第１の内側壁部２７３ａと第２の内側壁部２７４ａとは、仕切り壁２７１ｂの第１の内側壁部２７３ｂを挟んで対向配置されている。
仕切り壁２７１ｂの第１の内側壁部２７３ｂと第２の内側壁部２７４ｂとは、仕切り壁２７１ａの第２の側壁部２７４ａを挟んで対向配置されている。
【００６８】
また、仕切り壁２７１ｂの第１の内側壁部２７３ｂは、仕切り壁２７１ａの第１の内側壁部２７３ａに接近するように配置され、一時貯留庫２７の内側になるように配置されている。
仕切り壁２７１ａの第２の内側壁部２７４ａは、仕切り壁２７１ｂの第２の内側壁部２７４ｂに接近するように配置され、一時貯留庫２７の内側になるように配置されている。
【００６９】
なお、可動壁２８ａおよび可動壁２８ｂは第１の実施例と同様に付勢されているため、仕切り壁２７１ａおよび仕切り壁２７１ｂも硬貨の貯留空間を形成するように付勢されている。
したがって、一時貯留庫２７に落下した硬貨は、仕切り壁２７１ｂの第１の内側壁部２７３ｂと、仕切り壁２７１ａの第２の内側壁部２７４ａとの間に形成された空間に集積される。
【００７０】
このように、一時貯留庫２７は、３面からなる仕切り壁２７１ａと、３面からなる仕切り壁２７１ｂとを互いに合わせて４面からなる筒形に形成され、仕切り壁２７１ａは、可動壁２８ａに取り付けられ、仕切り壁２７１ｂは、可動壁２８ｂに取り付けられている。また、仕切り壁２７１ａと仕切り壁２７１ｂとにより、ひとつの一時貯留庫２７の側壁を形成している。
【００７１】
なお、上述した仕切り壁２７１ａおよび仕切り壁２７１ｂと同様の仕切り壁が、可動壁２８ａと可動壁２８ｂとの間に６つ配設され、６つの金種別の一時貯留庫２７を形成している。
上述した構成の作用について説明する。
【００７２】
なお、硬貨処理装置が行う硬貨の入金処理あるいは計数処理の概要は第１の実施例と同様なのでその説明を省略する。
以下に、第２の実施例の構成の作用として、収納可の入力が行われた場合の動作を図７および図８に基づいて図１および図５を参照しながら説明する。
【００７３】
硬貨処理装置１００は、収納を指示する収納可入力を受け付けると、図５に示す動作と同様に、一時貯留部７の一時貯留庫２７に金種別に集積した硬貨２２ｂを硬貨収納部９に移動させるため、底板１６を含む一時貯留部７を図５中矢印Ｓが示す硬貨収納部９の方向へ移動させる。
【００７４】
一時貯留部７が硬貨収納部９の直上に到達する直前に、一時貯留庫２７の可動壁２８ａ（図８参照）の先端に配設されている突起部１９ａが、図５に示すように、一時貯留部７の底面７１に配設された突起受け７２ｂと係合し、一時貯留部７の移動に伴って可動壁２８ａが支点２０ａを回転支点として回動し、一時貯留庫２７の容積が増加する方向に開く（図８参照）。
【００７５】
このとき、可動壁２８ａとともに仕切り壁２７１ａも回動し、一時貯留庫２７の容積が増加する方向に開く。
仕切り壁２７１ａの第２の内側壁部２７４ａと、仕切り壁２７１ｂの第１の内側壁部２７３ｂとにより挟まれた硬貨２２ｂは、仕切り壁２７１ａの第２の内側壁部２７４ａが移動するため、動きの規制が解除される。
【００７６】
硬貨処理装置１００は、一時貯留部７が硬貨収納部９の直上に到達すると一時貯留部７の移動を停止する。
硬貨処理装置１００は、一時貯留部７の移動を停止すると、底板１６を図５中矢印ＬＦが示す左方向へ移動させ、一時貯留庫２７の底面を開放し、一時貯留庫２７内の硬貨２２ｂを落下させる（図５参照）。
【００７７】
硬貨処理装置１００は、一時貯留部７の一時貯留庫２７内の硬貨２２ｂを硬貨収納部９に硬貨２２ｄとして収納すると、底板１６を除く一時貯留部７を硬貨収納部９と硬貨返却部８との間に移動する。
このとき、可動壁２８ａ（図８参照）の突起部１９ａと、突起受け７２ｂとの係合が解除され、付勢部材による付勢力により可動壁２８ａが支点２０ａを回転支点として回動し、可動壁２８ａの自由端部は下方に配置される。
【００７８】
本実施例では、一時貯留部７が硬貨収納部９の直上に到達する直前に（図５参照）、可動壁２８ａおよび仕切り壁２７１ａが回動し、一時貯留庫２７の容積が増加する方向に開く。
そのため、一時貯留庫２７の内部で側壁（仕切り壁２７１ａ）と側壁（仕切り壁２７１ｂ）との間に硬貨２２ｃが挟まれた場合であっても、硬貨２２ｃの動きの規制を解除することができ、一時貯留庫２７内の硬貨２２ｂを落下させて一時貯留庫２７に集積された硬貨の残留を抑制することができる。
【００７９】
また、一時貯留部７内の硬貨を硬貨返却部８に落下させる場合も同様に、一時貯留庫２７に集積された硬貨の残留を抑制することができる。
以上説明したように、第２の実施例では、一時貯留部の移動に伴って可動壁および仕切り壁が回動し、一時貯留庫の容積が増加する方向に開くようにしたことにより、一時貯留庫に集積された硬貨の残留を抑制することができるという効果が得られる。
【実施例３】
【００８０】
第３の実施例の構成は、一時貯留庫の構成が第１の実施例と異なっている。その第３の実施例の構成を図９の第３の実施例における一時貯留庫の構成を示す上面図および図１０の第３の実施例における一時貯留庫の構成を示す前面図に基づいて説明する。なお、上述した第１の実施例と同様の部分は、同一の符号を付してその説明を省略する。
【００８１】
図９および図１０において、一時貯留庫３７は、それぞれの一時貯留庫３７の側面を形成する仕切り壁３７１（３７１ａ、３７１ｂ）と、仕切り壁３７１を支持する可動壁３８（３８ａ、３８ｂ）とを有している。なお、図３および図４に示す、それぞれの一時貯留庫３７の底面を形成する底板１６および底面７１は、第１の実施例と同様の構成である。また、一時貯留庫３７は、一時貯留部７の移動方向と直交する方向に金種毎に複数配列されている。
【００８２】
可動壁３８は、装置の前後方向に延伸する２つの板状の部材であり、第１の側壁としての可動壁３８ａと第２の側壁としての可動壁３８ｂとが対向配置されている。なお、可動壁３８ａおよび可動壁３８ｂは、図３および図４に示す第１の実施例の可動壁１８ａおよび可動壁１８ｂと同様に回動可能に構成されている。
【００８３】
仕切り壁３７１ａ、３７１ｂは、可動壁３８ａおよび可動壁３８ｂで挟まれる空間を仕切る側壁であり、可動壁３８ａおよび可動壁３８ｂの延伸方向（装置の前後方向）に複数配列されている。
第１の部材としての仕切り壁３７１ａは、固定部３７２ａと、第１の内側壁部３７３ａと、第２の内側壁部３７４ａとを有し、上面から見た形状が略く字状に形成された２面からなる板状部材である。
【００８４】
固定部３７２ａは、可動壁３８ａに固定されている。したがって、固定部３７２ａで可動壁３８ａに固定された仕切り壁３７１ａは、可動壁３８ａの回動に伴って回動するようになっている。
第１の内側壁部３７３ａは、固定部３７２ａから連続するように形成され、可動壁３８ｂに向かって矢印ＲＧおよび矢印ＦＲが示す右前方向に斜めに延伸するように形成されている。
【００８５】
第２の内側壁部３７４ａは、固定部３７２ａから連続するように形成され、可動壁３８ｂに向かって矢印ＲＧおよび矢印ＲＥが示す右後方向に斜めに延伸するように形成されている。
第２の部材としての仕切り壁３７１ｂは、固定部３７２ｂと、第１の内側壁部３７３ｂと、第２の内側壁部３７４ｂとを有し、上面から見た形状が略く字状に形成された２面からなる板状部材である。
【００８６】
固定部３７２ｂは、可動壁３８ｂに固定されている。したがって、固定部３７２ｂで可動壁３８ｂに固定された仕切り壁３７１ｂは、可動壁３８ｂの回動に伴って回動するようになっている。
第１の内側壁部３７３ｂは、固定部３７２ｂから連続するように形成され、可動壁３８ａに向かって矢印ＬＦおよび矢印ＦＲが示す左前方向に斜めに延伸するように形成されている。
【００８７】
第２の内側壁部３７４ｂは、固定部３７２ｂから連続するように形成され、可動壁３８ａに向かって矢印ＬＦおよび矢印ＲＥが示す左後方向に斜めに延伸するように形成されている。
仕切り壁３７１ａの第１の内側壁部３７３ａの先端部および仕切り壁３７１ｂの第１の内側壁部３７３ｂの先端部には、互いに噛み合う波形状の噛合部３８１が形成されている。
【００８８】
このように、噛合部３８１を互いに噛み合う波形状としたことにより、硬貨が仕切り壁３７１ａと仕切り壁３７１ｂとの間から漏れ出してしまうことを防止することができる。
仕切り壁３７１ａの第１の内側壁部３７３ａの先端部と、仕切り壁３７１ｂの第１の内側壁部３７３ｂの先端部とが噛合部３８１で接触した状態において、上面から見た仕切り壁３７１ａおよび仕切り壁３７１ｂの形状は菱形となり、硬貨の貯留空間を形成する。
【００８９】
なお、可動壁３８ａおよび可動壁３８ｂは第１の実施例と同様に付勢されているため、仕切り壁３７１ａおよび仕切り壁３７１ｂも硬貨の貯留空間を形成するように付勢されている。
したがって、一時貯留庫３７に落下した硬貨は、仕切り壁３７１ａの第１の内側壁部３７３ａおよび第２の内側壁部２７４ａと、仕切り壁３７１ｂの第１の内側壁部３７３ｂおよび第２の内側壁部３７４ｂとの間に形成された空間に集積される。
【００９０】
このように、一時貯留庫３７は、２面からなる仕切り壁３７１ａと、２面からなる仕切り壁３７１ｂとを互いに合わせて４面からなる筒形に形成され、仕切り壁３７１ａは、可動壁３８ａに取り付けられ、仕切り壁３７１ｂは、可動壁３８ｂに取り付けられている。また、仕切り壁３７１ａと仕切り壁３７１ｂとにより、ひとつの一時貯留庫３７の側壁を形成している。
【００９１】
なお、上述した仕切り壁３７１ａおよび仕切り壁３７１ｂと同様の仕切り壁が、可動壁３８ａと可動壁３８ｂとの間に６つ配設され、６つの金種別の一時貯留庫３７を形成している。
【００９２】
上述した構成の作用について説明する。
なお、硬貨処理装置が行う硬貨の入金処理あるいは計数処理の概要は第１の実施例と同様なのでその説明を省略する。
【００９３】
以下に、第３の実施例の構成の作用として、収納可の入力が行われた場合の動作を図１１および図１２に基づいて図１および図５を参照しながら説明する。
硬貨処理装置１００は、収納を指示する収納可入力を受け付けると、図５に示す動作と同様に、一時貯留部７の一時貯留庫３７に金種別に集積した硬貨２２ｂを硬貨収納部９に移動させるため、底板１６を含む一時貯留部７を図５中矢印Ｓが示す硬貨収納部９の方向へ移動させる。
【００９４】
一時貯留部７が硬貨収納部９の直上に到達する直前に、一時貯留庫３７の可動壁３８ａ（図１２参照）の先端に配設されている突起部１９ａが、図５に示すように、一時貯留部７の底面７１に配設された突起受け７２ｂと係合し、一時貯留部７の移動に伴って可動壁３８ａが支点２０ａを回転支点として回動し、一時貯留庫３７の容積が増加する方向に開く（図１１、図１２参照）。
このとき、可動壁３８ａとともに仕切り壁３７１ａも回動し、一時貯留庫３７の容積が増加する方向に開く。
【００９５】
仕切り壁３７１ａの第１の内側壁部３７３ａおよび第２の内側壁部３７４ａと、仕切り壁３７１ｂの第１の内側壁部３７３ｂおよび第２の内側壁部３７４ｂとにより挟まれた硬貨２２ｂは、仕切り壁３７１ａの第１の内側壁部３７３ａおよび第２の内側壁部３７４ａが移動するため、動きの規制が解除される。
【００９６】
硬貨処理装置１００は、一時貯留部７が硬貨収納部９の直上に到達すると一時貯留部７の移動を停止する。
硬貨処理装置１００は、一時貯留部７の移動を停止すると、底板１６を図５中矢印ＬＦが示す左方向へ移動させ、一時貯留庫３７の底面を開放し、一時貯留庫３７内の硬貨２２ｂを落下させる（図５参照）。
【００９７】
硬貨処理装置１００は、一時貯留部７の一時貯留庫３７内の硬貨２２ｂを硬貨収納部９に硬貨２２ｄとして収納すると、底板１６を除く一時貯留部７を硬貨収納部９と硬貨返却部８との間に移動する。
このとき、可動壁３８ａ（図１２参照）の突起部１９ａと、突起受け７２ｂとの係合が解除され、付勢部材による付勢力により可動壁３８ａが支点２０ａを回転支点として回動し、可動壁３８ａの自由端部は下方に配置される。
【００９８】
本実施例では、一時貯留部７が硬貨収納部９の直上に到達する直前に（図５参照）、可動壁３８ａおよび仕切り壁３７１ａが回動し、一時貯留庫３７の容積が増加する方向に開く。
そのため、一時貯留庫３７の内部で側壁（仕切り壁３７１ａ）と側壁（仕切り壁３７１ｂ）との間に硬貨２２ｃが挟まれた場合であっても、硬貨２２ｃの動きの規制を解除することができ、一時貯留庫３７内の硬貨２２ｂを落下させて一時貯留庫３７に集積された硬貨の残留を抑制することができる。
【００９９】
また、一時貯留部７内の硬貨を硬貨返却部８に落下させる場合も同様に、一時貯留庫３７に集積された硬貨の残留を抑制することができる。
なお、本実施例では、仕切り壁３７１ａの第１の内側壁部３７３ａの先端部と、仕切り壁３７１ｂの第１の内側壁部３７３ｂの先端部とが噛合部３８１で接触した状態において、上面から見た仕切り壁３７１ａおよび仕切り壁３７１ｂの形状が菱形となるようにしたが、それに限られることなく、対向する仕切り壁が左右方向に分かれるものであれば、例えば円形となるようにしても良い。
【０１００】
以上説明したように、第３の実施例では、一時貯留部の移動に伴って可動壁および仕切り壁が回動し、一時貯留庫の容積が増加する方向に開くようにしたとことにより、一時貯留庫に集積された硬貨の残留を抑制することができるという効果が得られる。
【実施例４】
【０１０１】
第４の実施例の構成は、一時貯留庫の構成が第１の実施例と異なっている。その第４の実施例の構成を図１３の第４の実施例における一時貯留庫の構成を示す前面図、図１４の第４の実施例における一時貯留庫の構成を示す斜視図、および図１５の第４の実施例における一時貯留庫の構成を示す上面図に基づいて説明する。なお、上述した第１の実施例と同様の部分は、同一の符号を付してその説明を省略する。
【０１０２】
図１３、図１４、および図１５において、それぞれの一時貯留庫４７の側面を形成する仕切り壁４７１（４７１ａ、４７１ｂ、４７１ｃ、４７１ｄ）と、仕切り壁４７１を支持する固定壁４８（４８ａ、４８ｂ）とを有している。なお、図１３に示す、それぞれの一時貯留庫４７の底面を形成する底板１６および底面７１は、第１の実施例と同様の構成である。また、一時貯留庫４７は、一時貯留部７の移動方向と直交する方向に金種毎に複数配列されている。
【０１０３】
固定壁４８は、装置の前後方向に延伸する２つの板状の部材であり、固定壁４８ａと固定壁４８ｂとが対向配置されている。なお、固定壁４８ａおよび固定壁４８ｂは、回動することなく一時貯留部７のフレームに支持されている。
仕切り壁４７１（４７１ａ、４７１ｂ、４７１ｃ、４７１ｄ）は、固定壁４８ａおよび固定壁４８ｂで挟まれる空間を仕切る側壁であり、固定壁４８ａおよび固定壁４８ｂの延伸方向（装置の前後方向）に複数配列されている。
【０１０４】
仕切り壁４７１は、仕切り壁４７１ａ、４７１ｂ、４７１ｃ、４７１ｄを有し、上面から見た形状が略矩形状に形成された板状部材である。
仕切り壁４７１ａは固定壁４８ａに固定され、仕切り壁４７１ｂは固定壁４８ｂに固定されている。なお、図１４に示すように、仕切り壁４７１ａおよび仕切り壁４７１ｂの上下方向の端部は、貯留する硬貨が入り込まないように波状に形成されている。
【０１０５】
また、仕切り壁４７１ｃと仕切り壁４７１ｄとは対向配置されている。
したがって、一時貯留庫４７に落下した硬貨は、仕切り壁４７１ａ、４７１ｂ、４７１ｃ、４７１ｄで形成された空間に集積される。
このように、仕切り壁４７１ａ、４７１ｂ、４７１ｃ、４７１ｄにより、ひとつの一時貯留庫４７の側壁を形成している。
【０１０６】
なお、上述した仕切り壁４７１ａ、４７１ｂ、４７１ｃ、４７１ｄと同様の仕切り壁が、固定壁４８ａと固定壁４８ｂとの間に６つ配設され、６つの金種別の一時貯留庫４７を形成している。
また、図１３に示すように、図中矢印ＬＦおよび矢印ＲＧが示す左右方向における一時貯留部７の移動範囲の左端に側フレーム５０ａ、右端に側フレーム５０ｂが配設されている。
【０１０７】
硬貨返却部８の上方の側フレーム５０ａには、一時貯留庫４７の固定壁４８ａおよび仕切り壁４７１ａに向かって突出する突起部４９ａが形成され、また、硬貨収納部９の上方の側フレーム５０ｂには、一時貯留庫４７の固定壁４８ｂおよび仕切り壁４７１ｂに向かって突出する突起部４９ｂが形成されている。
【０１０８】
本実施例では、突起部４９ａは上下方向に３本配列され、上から突起部４９１ａ、４９２ａ、４９３ａとして設けられている。また、突起部４９ｂは上下方向に３本配列され、上から突起部４９１ｂ、４９２ｂ、４９３ｂとして設けられている。なお、突起部４９ａおよび突起部４９ｂは３本に限定されるものでなく、２本以下または４本以上であっても良い。
【０１０９】
さらに、一時貯留庫４７の固定壁４８ａおよび仕切り壁４７１ａには、突起部４９１ａ、４９２ａ、４９３ａに対応し、突起部４９１ａ、４９２ａ、４９３ａが貫通する貫通孔４８１ａ、４８２ａ、４８３ａが形成され、固定壁４８ｂおよび仕切り壁４７１ｂには、突起部４９１ｂ、４９２ｂ、４９３ｂに対応する貫通孔４８１ｂ、４８２ｂ、４８３ｂが形成されている。
【０１１０】
したがって、一時貯留部７が硬貨返却部８の上方に移動したとき、一時貯留庫４７の固定壁４８ａおよび仕切り壁４７１ａの貫通孔４８１ａ、４８２ａ、４８３ａに、突起部４９１ａ、４９２ａ、４９３ａの先端が挿入されて一時貯留庫４７の収納空間の内部に突出し、一時貯留部７が硬貨収納部９の上方に移動したとき、一時貯留庫４７の固定壁４８ｂおよび仕切り壁４７１ｂの貫通孔４８１ｂ、４８２ｂ、４８３ｂに、突起部４９１ｂ、４９２ｂ、４９３ｂの先端が挿入されて一時貯留庫４７の収納空間の内部に突出するようになっている。
【０１１１】
このように、突起部４９１ｂ、４９２ｂ、４９３ｂは、一時貯留庫４７の移動に伴って相対的に一時貯留庫４７の収容空間内に突出するようになっている。
上述した構成の作用について説明する。
なお、硬貨処理装置が行う硬貨の入金処理あるいは計数処理の概要は第１の実施例と同様なのでその説明を省略する。
【０１１２】
以下に、第４の実施例の構成の作用として、収納可の入力が行われた場合の動作を図１５および図１６に基づいて図１および図５を参照しながら説明する。
硬貨処理装置１００は、収納を指示する収納可入力を受け付けると、図５に示す動作と同様に、一時貯留部７の一時貯留庫４７に金種別に集積した硬貨２２ｂを硬貨収納部９に移動させるため、底板１６を含む一時貯留部７を図５中矢印Ｓが示す硬貨収納部９の方向へ移動させる。
【０１１３】
一時貯留部７が硬貨収納部９の直上に到達するとき、側フレーム５０ｂに設けられた突起部４９ｂ（図１３に示す突起部４９１ｂ、４９２ｂ、４９３ｂ）の先端が貫通孔４８１ｂ、４８２ｂ、４８３ｂに挿入されて一時貯留庫４７の内部に突出する。
このとき、一時貯留庫４７の内部の硬貨２２ｂは、一時貯留庫４７の内部に突出する突起部４９ｂに当接することによりバランスを崩し、図１５に示すように一時貯留庫４７の内部で側壁と側壁に挟まれて動きが規制されている状態であっても、その規制が解除される。
【０１１４】
硬貨処理装置１００は、一時貯留部７が硬貨収納部９の直上に到達すると一時貯留部７の移動を停止する。
硬貨処理装置１００は、一時貯留部７の移動を停止すると、底板１６を図５中矢印ＬＦが示す左方向へ移動させ、一時貯留庫４７の底面を開放し、一時貯留庫４７内の硬貨２２ｂを落下させる（図５参照）。
【０１１５】
硬貨処理装置１００は、一時貯留部７の一時貯留庫４７内の硬貨２２ｂを硬貨収納部９に硬貨２２ｄとして収納すると、底板１６を除く一時貯留部７を硬貨収納部９と硬貨返却部８との間に移動する。
本実施例では、一時貯留部７が硬貨収納部９の直上に到達するとき、側フレーム５０ｂに設けられた突起部４９ｂ（図１３に示す突起部４９１ｂ、４９２ｂ、４９３ｂ）の先端が貫通孔４８１ｂ、４８２ｂ、４８３ｂに挿入されて一時貯留庫４７の内部に突出する。
【０１１６】
そのため、一時貯留庫４７の内部で側壁（仕切り壁４７１ｃ）と側壁（仕切り壁４７１ｄ）との間に硬貨２２ｃが挟まれた場合であっても、硬貨２２ｃの動きの規制を解除することができ、一時貯留庫４７内の硬貨２２ｂを落下させて一時貯留庫４７に集積された硬貨の残留を抑制することができる。
また、一時貯留部７内の硬貨を硬貨返却部８に落下させる場合も同様に、一時貯留庫４７に集積された硬貨の残留を抑制することができる。
【０１１７】
以上説明したように、第４の実施例では、一時貯留部の移動に伴って側フレームに設けられた突起部の先端が貫通孔に挿入されて一時貯留庫の内部に突出するようにしたことにより、一時貯留庫に集積された硬貨の残留を抑制することができるという効果が得られる。
【０１１８】
なお、第１の実施例から第４の実施例では、硬貨処理装置をレジスタ等で取り扱われる硬貨を管理する装置として説明したが、それに限られるものでなく、一時貯留部を有するものであれば現金自動預け払い機や券売機等の自動取引装置または現金処理機等に搭載される硬貨処理装置としても良い。
【符号の説明】
【０１１９】
１    硬貨投入口
２    硬貨繰出し部
３    硬貨搬送路
４    硬貨鑑別部
５    リジェクト硬貨返却部
６    硬貨選別部
７    一時貯留部
８    硬貨返却部
９    硬貨収納部
１０  硬貨出金部
１１  回収庫
１３  硬貨搬送シュート
１４  硬貨搬送ベルト
１５  硬貨選別ゲート
１６  底板
１７、２７、３７、４７  一時貯留庫
１７１、２７１、３７１、４７１  仕切り壁
１８、２８、３８  可動壁
１９ａ、１９ｂ、４９ａ、４９ｂ  突起部
４８  固定壁
５０ａ、５０ｂ  側フレーム
７１  底面
７２ａ、７２ｂ  突起受け
１００  硬貨処理装置
【図１】
2018109814.tif 000003
【図２】
2018109814.tif 000004
【図３】
2018109814.tif 000005
【図４】
2018109814.tif 000006
【図５】
2018109814.tif 000007
【図６】
2018109814.tif 000008
【図７】
2018109814.tif 000009
【図８】
2018109814.tif 000010
【図９】
2018109814.tif 000011
【図１０】
2018109814.tif 000012
【図１１】
2018109814.tif 000013
【図１２】
2018109814.tif 000014
【図１３】
2018109814.tif 000015
【図１４】
2018109814.tif 000016
【図１５】
2018109814.tif 000017
【図１６】
2018109814.tif 000018
【図１７】
2018109814.tif 000019